(57)【要約】【目的】点検口の蓋において施錠部位が点検口周囲に対して目立つことなく溶け込み易く、施錠を極めて簡単にできる天井点検口の蓋施錠装置とすること。【構成】点検開口部２と、蓋体３と、開閉枢支部３ａと、点検開口部２側に装着される施錠器Ｂと、施錠器Ｂに保持及び開放される施錠ピン７１と、開錠具９とを備えること。施錠器Ｂは、施錠ベース４と施錠ベース４に回動自在に装着されると共に被嵌合部５１ａと第１保持部５１ｂと開錠レバー部６とが形成された第１保持板５１と、嵌合部５２ａと第２保持部５２ｂが形成された第２保持板５２とを有し、開錠レバー部６は点検開口部２の内周と蓋体３の外周との隙間Ｔ上に位置すると共に、開錠具９は隙間Ｔより挿入且つ開錠レバー部６を押圧可能とし、嵌合部５２ａと被嵌合部５１ａとの嵌合状態では第２保持部５２ｂと第２保持部５２ｂとによって施錠ピン７１は保持され、非嵌合状態で施錠ピン７１は開放さること。【選択図】      図１
2018204369.tif 000002
【特許請求の範囲】
【請求項１】
点検開口部と、該点検開口部に対して開閉する蓋体と、該蓋体を開閉する開閉枢支部と、前記点検開口部側に装着される施錠器と、前記蓋体に装着されると共に前記施錠器に保持及び開放される施錠ピンと、前記施錠器を開錠する開錠具とを備え、前記施錠器は、施錠ベースと該施錠ベースに回動自在に装着されると共に被嵌合部と第１保持部と開錠レバー部とが形成された第１保持板と、嵌合部と第２保持部が形成された第２保持板とを有し、前記開錠レバー部は前記点検開口部の内周と前記蓋体の外周との隙間上に位置すると共に、前記開錠具は前記隙間より挿入且つ前記開錠レバー部を押圧可能とし、前記嵌合部と前記被嵌合部との嵌合状態では前記第１保持部と前記第２保持部とによって前記施錠ピンは保持され、非嵌合状態で前記施錠ピンは開放されてなることを特徴とした天井点検口の蓋施錠装置。
【請求項２】
請求項１において、前記開錠レバー部は、前記第１保持板と一体形成されてなることを特徴とした天井点検口の蓋施錠装置。
【請求項３】
請求項１において、前記開錠レバー部は、前記第１保持板と別部材としてなることを特徴とした天井点検口の蓋施錠装置。
【請求項４】
請求項１，２又は３の何れか１項に記載の天井点検口の蓋施錠装置において、前記開錠具は、平帯板状としてなることを特徴とした天井点検口の蓋施錠装置。
【請求項５】
請求項１，２又は３の何れか１項に記載の天井点検口の蓋施錠装置において、前記開錠具は、軸状としてなることを特徴とした天井点検口の蓋施錠装置。
【発明の詳細な説明】
【技術分野】
【０００１】
本発明は、点検口の蓋体において、開閉時の施錠にかかる部位が表面に露出することなく、しかも点検口周囲に対して目立つことなく溶け込み易いものにでき、且つ蓋体の施錠を極めて簡単にできる天井点検口の蓋施錠装置に関する。
【背景技術】
【０００２】
従来、ビル，一般家屋，工場等の建築物における天井には、空調装置，配電等の点検，保守，修理等を行うため、点検口が設けられていることが多い。そして、点検口には蓋が備わっており、通常は閉じた状態にある。そのため、天井の点検口の蓋は、通常では天井の一部となる。したがって、点検口及びその蓋についても点検時以外では、室内のインテリアを構成する一部となる。
【先行技術文献】
【特許文献】
【０００３】
【特許文献１】特開平７−２７９３９７号公報
【特許文献２】特開平１１−３１１０１７号公報
【特許文献３】特開２００２−１９４８８７号公報
【発明の開示】
【発明が解決しようとする課題】
【０００４】
前述したように、天井の点検口の蓋が、インテリアの観点より見て天井の一部を構成するものであり、前記蓋は、天井の一部として、点検口周囲の天井パネルに溶け込むようにすることが好ましい。ところが、点検口の蓋は、特許文献１乃至特許文献３に見られるように、施錠装置が外部に露出するものが多く、この部分が周囲に対して目立ち違和感を生じるものであった。
【０００５】
たとえば、特許文献１では、蓋板(25)に錠(34)が設けられている。また、特許文献２においては、蓋体(25)に施錠部材(1)を構成する操作板部(13)が外部に露出している。また
、特許文献３では点検用開口部(2)と点検蓋(4)との間にロック部材(29)が設けられている。該ロック部材(29)についても点検蓋(4)から外部に露出している。
【０００６】
このように、一般の天井の点検口の蓋は、開閉における施錠のための装置の一部が外部に露出し、室内から目視される。これがインテリアの外観を損ねることになり、この点の改善が望まれている。そこで、本発明の目的（解決しようとする技術的課題）は、点検口の蓋において、開閉時の施錠にかかる部位が表面に露出しないようにすることで、インテリアの特に点検口周辺の外観を良好なものとし、且つその施錠構成も極めて簡単なものとすることにある。
【課題を解決するための手段】
【０００７】
そこで、発明者は上記課題を解決すべく、鋭意，研究を重ねた結果、請求項１の発明を、点検開口部と、該点検開口部に対して開閉する蓋体と、該蓋体を開閉する枢支部と、前記点検開口部側に装着される施錠器と、前記蓋体に装着されると共に前記施錠器に保持及び開放される施錠ピンと、前記施錠器を開錠する開錠具とを備え、前記施錠器は、施錠ベースと該施錠ベースに回動自在に装着されると共に被嵌合部と第１保持部と開錠レバー部とが形成された第１保持板と、嵌合部と第２保持部が形成された第２保持板とを有し、前記開錠レバー部は前記点検開口部の内周と前記蓋体の外周との隙間上に位置すると共に、前記開錠具は前記隙間の下方より挿入且つ前記開錠レバー部を押圧可能とし、前記嵌合部と前記被嵌合部との嵌合状態では前記第１保持部と前記第２保持部とによって前記施錠ピンは保持され、非嵌合状態で前記施錠ピンは開放されてなる天井点検口の蓋施錠装置。としたことにより、上記課題を解決した。
【０００８】
請求項２の発明を、請求項１において、前記開錠レバー部は、前記第１保持板と一体形成されてなる天井点検口の蓋施錠装置としたことにより、上記課題を解決した。請求項３の発明を、請求項１において、前記開錠レバー部は、前記第１保持板と別部材としてなる天井点検口の蓋施錠装置としたことにより、上記課題を解決した。
【０００９】
請求項４の発明を、請求項１，２又は３の何れか１項に記載の天井点検口の蓋施錠装置において、前記開錠具は、平帯板状としてなる天井点検口の蓋施錠装置としたことにより、上記課題を解決した。請求項５の発明を、請求項１，２又は３の何れか１項に記載の天井点検口の蓋施錠装置において、前記開錠具は、軸状としてなる天井点検口の蓋施錠装置としたことにより、上記課題を解決した。
【発明の効果】
【００１０】
請求項１の発明では、点検開口部の蓋体には開閉及び施錠，開錠を行うための装置類が、天井の下方より露出することがない。そのために点検開口部の蓋体は、他の天井部分に対して目立つことがなく、室内の外観を損なうことを防止できる。さらに、蓋体の開閉においては、点検開口部と蓋体との隙間を利用して、開錠具を挿入するのみで、施錠器を開錠状態にして、簡単に蓋体を開くことができる。
【００１１】
請求項２の発明では、開錠レバー部は、前記第１保持板と一体形成されたことにより、施錠器の構成を簡単なものにできると共に、点検開口部及び蓋体の施工も簡単にできる。請求項３の発明では、開錠レバー部は、前記第１保持板と別部材としたことにより、開錠レバー部の形状を種々変更することができ、開錠操作時における開錠具との当接位置を調整することができる。請求項４の発明では、前記開錠具は、平帯板状としてなる天井点検口の蓋施錠装置としたことにより、開錠操作をより一層行い易くすることができる。請求項５の発明では、開錠具を軸状としたことにより、開錠具を極めて簡単な物にすることができる。
【図面の簡単な説明】
【００１２】
【図１】（Ａ）は点検口の蓋体の閉じた状態における蓋施錠装置の構成を示す略示縦断側面図、（Ｂ）は（Ａ）の（α）部の一部省略した拡大図、（Ｃ）は（Ａ）の（α）部において蓋体を少し開いた状態の一部省略した拡大図、（Ｄ）は（Ｂ）のＹ1−Ｙ1矢視断面図である。
【図２】（Ａ）は本発明における施錠器及び取付部材の分離した斜視図、（Ｂ）は施錠器における第１保持板と第２保持板の分離した状態の斜視図、（Ｃ）は施錠器における第１保持板と第２保持板の嵌合した状態の斜視図、（Ｄ）は施錠器における第１保持板と第２保持板の嵌合した状態の側面図、（Ｅ）は施錠器における第１保持板と第２保持板の嵌合が解除された状態の側面図、（Ｆ）は（Ａ）のＹ2−Ｙ2矢視拡大断面図、（Ｇ）は施錠器が天井パネル材上に取付部材を介して装着された状態の要部の拡大縦断正面図である。
【図３】（Ａ）(I)は蓋体の開き行程における施錠された状態の施錠器の一部が省略された側面図、(II)は正面図、（Ｂ）(I)は蓋体の開き行程における開錠が開始された状態の施錠器の一部が省略された側面図、(II)は正面図、（Ｃ）(I)は開錠が完了し蓋体が開き始めた状態の施錠器の一部が省略された側面図、(II)は正面図である。
【図４】（Ａ）は蓋体の閉じ行程における蓋体の被施錠部が点検開口部側の施錠器に近接した状態を示す施錠器の一部が省略された側面図、（Ｂ）は蓋体の閉じ行程における蓋体の被施錠部が点検開口部側の施錠器に当接して施錠動作を始めた状態の施錠器の一部が省略された側面図、（Ｃ）は蓋体の閉じ行程における施錠動作を継続している状態の施錠器の一部が省略された側面図、（Ｄ）は蓋体の閉じ行程における施錠動作が完了し蓋体の閉じ行程が完了した状態の施錠器の一部が省略された側面図である。
【図５】（Ａ）は被施錠部の斜視図、（Ｂ）は平帯板状とした実施形態の開錠具の斜視図、（Ｃ）は軸状とした実施形態の開錠具の斜視図である。
【図６】（Ａ）は開錠レバー部の第２実施形態の斜視図、（Ｂ）は開錠レバー部の第３実施形態の斜視図、（Ｃ）は開錠レバー部の第４実施形態の斜視図である。
【図７】（Ａ）は本発明における天井点検口の蓋施錠装置を天井に設けた実施形態の略示図、（Ｂ）は本発明における天井点検口の蓋施錠装置を壁及び床に設けた実施形態の略示図である。
【図８】（Ａ）は施錠器と該施錠器を天井に装着する別の実施形態の取付部材の斜視図、（Ｂ）は（Ａ）のＹ3−Ｙ3矢視断面図、（Ｃ）は施錠器と該施錠器を天井に装着する別の実施形態の取付構造の平面図、（Ｄ）は（Ｃ）のＸ1−Ｘ1矢視断拡大断面図、（Ｅ）は施錠器と該施錠器を天井に装着するさらに別の実施形態の取付部材の平面図、（Ｆ）は（Ｅ）のＸ2−Ｘ2矢視断面図である。
【発明を実施するための形態】
【００１３】
以下、本発明の実施例を図面に基づいて説明する。本発明における天井点検口の蓋施錠装置は、主に天井Ａに設けられる点検口に使用される〔図１及び図７（Ａ）参照〕。天井Ａは、多数の天井パネル材１，１，…にて構成されている。該天井パネル材１は、正方形又は長方形等の方形状である。天井パネル材１は、天井主板１１の周囲に立上り側部１２が形成されている。
【００１４】
天井Ａに方形状の点検開口部２が形成される。この方形状には、正方形及び長方形が含まれる。点検開口部２の周囲には、前記天井パネル材１が集合し、該天井パネル材１の立上り側部１２によって点検開口部２の周囲が立上り壁状に構成される（図１参照）。なお、天井パネル材１では、天井主板１１の周囲に立上り側部１２によって構成された上方側空隙部分に断熱材等の建材１３が設けられることもある。
【００１５】
蓋体３は、略方形状であり、正方形又は長方形をなしている。蓋体３の構成は、前記天井パネル材１の構成と略同等である。蓋体３は、方形状の蓋主板３１の周囲に立上り側部３２が形成されている。そして、蓋体３の任意の１辺を開閉中心側とし、開閉枢支部３ａが設けられている〔図１（Ａ）参照〕。
【００１６】
開閉枢支部３ａは、蓋体３の対向する立上り側部３２，３２と、両立上り部３２，３２に対応する天井パネル材１の立上り側部１２，１２との間に枢支軸３３が設けられ、枢支軸３３を回動中心として蓋体３が点検開口部２に開閉する〔図１（Ａ）参照〕。また、開閉枢支部３ａとして、別の実施形態では、特に図示しないが、蓋体３の任意の立上り側部３２と、対応する点検開口部２の立上り側部１２との間に蝶番が装着され該蝶番によって蓋体３が開閉する構成としたものも存在する。
【００１７】
点検開口部２と蓋体３との間には、該蓋体３を閉じた状態で、僅かな間隔寸法を有する隙間Ｔが設けられている〔図１（Ｃ），図３等参照〕。該隙間Ｔは、後述する開錠具９が挿入可能な寸法である。該隙間Ｔの具体的寸法は、約１ミリ乃至５ミリ程度であり、より具体的には約２ミリ乃至３ミリ程度である。隙間Ｔは、後述する施錠器Ｂの開錠を行うために必要な部位である。
【００１８】
施錠器Ｂは、主に、施錠ベース４と、第１保持板５１と、第２保持板５２と、開錠レバー部６とから構成される〔図１（Ｂ）乃至（Ｄ），図２等参照〕。第１保持板５１と、第２保持板５２は、金属板（合成樹脂でもよい）から所定の形状に形成されたものである。第１保持板５１は、被嵌合部５１ａと第１保持部５１ｂと第１回動枢支部５１ｃとを有している。
【００１９】
第２保持板５２は、嵌合部５２ａと第２保持部５２ｂと第２回動枢支部５２ｃとを有している。第１保持板５１の被嵌合部５１ａは、窪み（凹）状をなしている。さらに、第１保持板５１には第１回動中心孔５１ｄが形成され、第２保持板５２には第２回動中心孔５２ｄが形成されている〔図２（Ｂ），（Ｃ）参照〕。
【００２０】
また、第２保持板５２の嵌合部５２ａは突出（凸）状に形成されている。また、第１保持板５１の第１保持部５１ｂは、被嵌合部５１ａの下方に位置しており、略円弧形状の凹部として形成されている。また、第２保持板５２の第２保持部５２ｂは、嵌合部５２ａの下方に位置しており、略円弧形状の凹部として形成されている〔図２（Ｂ），（Ｅ）参照〕。
【００２１】
第１保持板５１と第２保持板５２とは、施錠ベース４に対して回動自在に軸支されている。第１回動枢支部５１ｃ及び第２回動枢支部５２ｃは、中空円筒状の軸部材であり、施錠ベース４の側部４１，４１に対して固着されている〔図２（Ａ），（Ｄ）参照〕。第１保持板５１は、第１回動中心孔５１ｄに第１回動枢支部５１ｃが挿入される構成で、施錠ベース４に対して回動自在である。第２保持板５２は、第２回動中心孔５２ｄに第２回動枢支部５２ｃが挿入されることで、施錠ベース４に対して回動自在となる〔図２（Ｄ）乃至（Ｇ）参照〕。
【００２２】
また、第１回動枢支部５１ｃ及び第２回動枢支部５２ｃには、ビス・ボルト等の固着具４５が挿通可能である。そして、第１回動枢支部５１ｃ，第２回動枢支部５２ｃ及び固着具４５は、施錠器Ｂを、後述する取付部材８等を介して点検開口部２の周囲に設置する場合に使用される部位及び部材となる。固着具４５は、具体的には、ビス，ボルト及びナットにより構成されたものである。
【００２３】
施錠ベース４は、２つの側部４１，４１と連結上部４２によって断面略逆Ｕ字形状に形成されている〔図２（Ａ），（Ｆ），（Ｇ）参照〕。両側部４１，４１同士は、所定間隔をおいて、略平行状態で対向しており、両側部４１，４１同士の上端に連結上部４２が形成されている。第１保持板５１と第２保持板５２とは、施錠ベース４の両第１バネ６３と第２バネ６４にて、被嵌合部５１ａと嵌合部５２ａとが嵌合すると共にこの嵌合状態を維持するように弾性付勢される〔図１（Ｂ），（Ｃ）参照〕。
【００２４】
第１バネ６３と第２バネ６４の種類としては、ねじりコイルバネが好適である。図３では、第１保持板５１は、第１バネ６３によって反時計方向に弾性付勢され、また第２保持板５２は、第２バネ６４によって時計方向に弾性付勢される。また、施錠ベース４の連結上部４２の前後方向両側には、溝４３，４３が形成されている〔図２（Ａ）参照〕。両溝４３，４３内を第１保持板５１及び第２保持板５２の一部が挿入されながら移動する。
【００２５】
また、両溝４３，４３のそれぞれの内端部は、第１保持板５１及び第２保持板５２のそれぞれの回動範囲つまり回動角度を規制する役目を有する。つまり、両溝４３，４３の内端が第１保持板５１及び第２保持板５２の施錠ベース４内での回動を当接することによって停止させるストッパとなる。
【００２６】
第１保持板５１の被嵌合部５１ａと、第２保持板５２の嵌合部５２ａとが適正に嵌合した状態において、第１保持部５１ｂと第２保持部５２ｂとは略円形状の保持領域５３を形成することができるようになっている〔図２（Ｃ），（Ｄ），（Ｅ）参照〕。第１保持部５１ｂと第２保持部５２ｂとによって構成される保持領域５３は、後述する被施錠部７の施錠ピン７１を包持状態にて保持することができる。
【００２７】
これによって、蓋体３は、施錠器Ｂと被施錠部７とによって点検開口部２を閉じた状態に維持されることができる〔図１（Ｂ）参照〕。また、被嵌合部５１ａと嵌合部５２ａとの嵌合が解除されて、非嵌合状態のときには、保持領域５３が存在しなくなる〔図１(Ｃ)，図２（Ｅ），図３（Ｃ）等参照〕。
【００２８】
また、前記施錠ベース４の両側部４１，４１には、略逆Ｕ字形状の切欠き部４４が形成されている〔図１（Ｂ），（Ｃ），図２（Ａ）参照〕。切欠き部４４は、前記保持領域５３が形成される箇所と同一となる位置に形成されたものである。切欠き部４４は、側部４１の下端側が開放されており、被施錠部７の施錠ピン７１が施錠ベース４の下方より近接しつつ、切欠き部４４に遊挿可能となっている。切欠き部４４に遊挿される施錠ピン７１は、切欠き部４４内にて前記保持領域５３に包持状態で保持される。
【００２９】
そして、前述したように、第１バネ６３と第２バネ６４の弾性付勢によって、第１保持板５１の被嵌合部５１ａと、第２保持板５２の嵌合部５２ａとが適正に嵌合すると共に、第１保持部５１ｂと第２保持部５２ｂとが略円形状の保持領域５３を構成し、且つこの状態を維持する。
【００３０】
また、第１保持板５１の被嵌合部５１ａと、第２保持板５２の嵌合部５２ａとの嵌合が解除され、非嵌合状態となったときには、前記第１バネ６３と第２バネ６４及び両溝４３，４３によって、第１保持部５１ｂと第２保持部５２ｂとは離間状態が維持されると共に、保持領域５３は存在しない状態となり、保持領域５３に保持された施錠ピン７１は開放され、且つ自由となる〔図１(Ｃ)，図２（Ｅ），図３（Ｃ）等参照〕。
【００３１】
ここで、被嵌合部５１ａと嵌合部５２ａとが非嵌合状態のとき、第２保持板５２は第２保持部５２ｂが下方となるように傾斜状態となる〔図２（Ｅ），図３（Ｃ），図４（Ａ）参照〕。そして、該第２保持部５２ｂの上端部分が、後述する被施錠部７の施錠ピン７１によって押圧されることにより、第２保持板５２の第２保持部５２ｂが上昇するように回動すると共に、嵌合部５２ａは被嵌合部５１ａと嵌合し、保持領域５３を構成することができる。
【００３２】
施錠器Ｂは、その前後方向において、前記第２保持板５２の装着側を施錠器Ｂの前方側とし、前記第１保持板５１の装着側を施錠器Ｂの後方側とする。前記蓋体３の点検開口部２に対する開閉動作は、施錠器Ｂの前後方向に沿って行われる〔図１（Ａ），（Ｃ）参照〕。第１保持板５１には、開錠レバー部６が形成されている〔図１（Ｂ）乃至（Ｄ），図２等参照〕。
【００３３】
該開錠レバー部６は、第１保持板５１の上端に形成された連結板部５１ｅを介して第１保持板５１と略平行となるように、所定の間隔をおいて配置される〔図２（Ｆ），（Ｇ）参照〕。前記連結板部５１ｅは、第１保持板５１の上端が略直角に屈曲形成され、連結板部５１ｅの幅方向内端部から略垂直状に開錠レバー部６が形成されている。
【００３４】
開錠レバー部６は、前記連結板部５１ｅの位置から施錠器Ｂの前後方向における前方側に向かって延在するようにして形成されている〔図２（Ａ）乃至（Ｃ）参照〕。また、開錠レバー部６の先端部分は下方に向かって突出し、その突出先端部分は略円弧状となるように形成されている。
【００３５】
この突出先端部分を、被押圧端部６２と称する。該被押圧端部６２は、後述する開錠具９に当接される部位である〔図２（Ａ）乃至（Ｃ）参照〕。開錠レバー部６の被押圧端部６２は、点検開口部２の内周と、蓋体３の外周との間に生じる隙間Ｔの上方に位置するように、施錠器Ｂが天井Ａの天井パネル材１上に設置される〔図１（Ｄ）参照〕。
【００３６】
被施錠部７は、施錠ピン７１とピンベース７２とから構成されている〔図３（Ｃ），図５（Ａ）参照〕。施錠ベース４は、蓋体３の蓋主板３１上に設置され、断面略Ｌ字形状に形成されたものである。そして、施錠ピン７１は、ピンベース７２に水平状となるように固着されている。
【００３７】
さらに、施錠ピン７１を補強するためのリブ７２ａが設けられている。施錠ピン７１は、前述したように、施錠器Ｂの第１保持板５１の被嵌合部５１ａと、第２保持板５２の嵌合部５２ａとが嵌合して構成される略円形状の保持領域５３に保持固定される〔図１（Ｂ），図３（Ａ）等参照〕。
【００３８】
施錠器Ｂの施錠ベース４は、取付部材８を介して点検開口部２周囲の天井パネル材１側に装着される。取付部材８は、垂直支持板８１と取付基板８２とからなり、断面Ｌ字形状に形成されている〔図２（Ａ）参照〕。垂直支持板８１には、施錠器Ｂを接合するためのビス用の貫通孔８１ａが形成され、また取付基板８２には、天井パネル材１に固定するためのビス用の貫通孔８２ａが形成されている。前記貫通孔８１ａ及び８２ａは、施錠器Ｂの取付位置調整が可能となるように長孔とすることが好ましい。
【００３９】
垂直支持板８１に施錠ベース４がボルト・ナット等の固着具４５にて固着され、取付基板８２が点検開口部２の周辺の天井パネル材１等にビス・ボルト等の固着具４６にて固着される。ここで、施錠器Ｂは、施錠ベース４の長手方向を前後方向とする。また、取付部材８の別の実施形態では、図８に示すように、施錠ベース４を固定する固定部８３と、該固定部８３を支持固定する長手方向に長尺とした橋渡し材８４とから構成される。
【００４０】
固定部８３は、連結片８３ａ，頂片板８３ｂ及び固定片８３ｃから構成され、これらによって断面略逆Ｌ字形状に形成されたものである。連結片８３ａは、施錠器Ｂと連結され、固定片８３ｃは橋渡し材８４に連結される。連結片８３ａには、ビス孔８３ｄが形成され、固定片８３ｃには大貫通孔８３ｅが形成されている。前記ビス孔８３ｄは、ビス等の固着具４５によって取付部材８と施錠器Ｂとを連結する役目をなすものである。
【００４１】
大貫通孔８３ｅは、固定片８３ｃ側からビス等の固着具４５を遊挿して、該固着具４５を前記ビス孔８３ｄに挿入し、ドライバを差し込み、固着具４５の締付を行う役目をなす部位である。さらに、連結片８３ａには、切欠き部８３ｅが形成され、取付部材８が施錠ベース４に取り付けられた状態で切欠き部８３ｅが施錠ベース４の切欠き部４４と同等位置となるように構成されている。
【００４２】
取付部材８の切欠き部８３ｅは、施錠器Ｂの切欠き部４４と共に、施錠ピン７１を施錠器Ｂの保持領域５３に案内する役目をする。橋渡し材８４の長手方向両端は、前記点検開口部２の周辺の天井パネル材１，１に亘って橋渡し状に配置され、固着部材８５によって天井パネル材１の上面側に固着される〔図８（Ｃ），（Ｄ）参照〕。
【００４３】
さらに、前記橋渡し材８４は、天井Ａにおけるパネル材１を設置固定するための下地である野縁Ａ1を利用することもある。ここでは、前記橋渡し材８４を前記固着部材８５に
よって野縁Ａ1に固着する〔図８（Ｅ），（Ｆ）参照〕。ここで、野縁Ａ1は、具体的には、リップ溝形鋼等が使用される。
【００４４】
開錠具９は、施錠器Ｂを開錠させるカギの役目をなす。開錠具９は、点検開口部２と蓋体３との隙間Ｔから挿入して、施錠器Ｂの前記レバー部６の被押圧端部６２を押圧し、第１保持板５１の被嵌合部５１ａと、第２保持板５２の嵌合部５２ａとの嵌合を解除させるものである。開錠具９は、薄い平帯板状に形成されたものであり、隙間Ｔに挿入可能な厚さとする〔図３(Ａ)，図５（Ｂ）参照〕。したがって、開錠具９の厚さ寸法は、隙間Ｔの寸法よりも薄く形成されることが好ましい（図３参照）。
【００４５】
また、特に図示しないが、開錠具９は、軸状部材とすることもある〔図５(Ｃ)参照〕。該開錠具９を軸状とする場合では、隙間Ｔに挿入可能な直径とする。さらに、特に図示しないが、開錠具９を「へら」形状或いはナイフ形状に形成することもある。また、軸状としたものでは、ドライバー等をそのまま使用することも可能である。
【００４６】
施錠器Ｂは、点検開口部２の前後方向（或いは開閉方向）に対して直交する幅方向両側の天井パネル材１にそれぞれ設けられる。或いは施錠器Ｂは点検開口部２の幅方向の片方の点検開口部２にのみ設けられることもある。また、施錠器Ｂの装着位置は、点検開口部２側において、蓋体３が閉じた状態で且つ該蓋体３の開閉自由端部寄りの位置とする。
【００４７】
次に、本発明における点検開口部２における蓋体３の開き動作のための開錠について図３に基づいて説明する。まず、施錠器Ｂにおいて第１保持板５１の被嵌合部５１ａと、第２保持板５２の嵌合部５２ａとは適正に嵌合した状態であり、第１保持部５１ｂと第２保持部５２ｂとによって構成された略円形状の保持領域５３に被施錠部７の施錠ピン７１が保持されている〔図３（Ａ）参照〕。これによって、蓋体３は、点検開口部２を閉じた状態にしている。
【００４８】
点検開口部２の内周と、蓋体３の外周との間に生じる隙間Ｔが存在し、該隙間Ｔより開錠具９を蓋体３の下方側から挿入する。挿入された開錠具９の先端は、施錠器Ｂの被押圧端部６２に当接する。そして、開錠具９をそのまま、上方に押し付けて、施錠器Ｂの開錠レバー部６の被押圧端部６２を上方に押し上げる〔図３（Ｂ）参照〕。これによって、第１保持板５１は、第１回動枢支部５１ｃを回動中心として回動する。図３（Ｂ）では、第１保持板５１は、第１回動枢支部５１ｃを回動中心として時計方向に回動する。
【００４９】
そして、開錠具９をさらに上方に押し上げることにより、第１保持板５１は第１回動枢支部５１ｃを回動中心として、さらに回動し、これによって、第１保持板５１の被嵌合部５１ａと、第２保持板５２の嵌合部５２ａとの嵌合が外れて非嵌合状態となる〔図３（Ｃ）参照〕。
【００５０】
これによって、第２保持板５２は、第２バネ６４によって回動する。図３では、第２保持板５２は時計方向に回動する。第１保持部５１ｂと第２保持部５２ｂとの略円形状の保持領域５３が開放されると、この保持領域５３に保持されていた施錠ピン７１が第１保持部５１ｂと第２保持部５２ｂとから外れ、蓋体３が開く〔図３（Ｃ）参照〕。
【００５１】
次に、本発明における点検開口部２における蓋体３を閉じて施錠する行程について図４に基づいて説明する。まず、施錠器Ｂにおいて第１保持板５１の被嵌合部５１ａと、第２保持板５２の嵌合部５２ａとは非嵌合状態である〔図４（Ａ）参照〕。つまり、第１保持板５１と第２保持板５２とは、前述した蓋体３を開くために嵌合が解除された状態のままから蓋体３の閉じ作業が始まる〔図３（Ｃ），図４（Ａ）参照〕。
【００５２】
そして、開状態の蓋体３を閉じ始めると、施錠ピン７１が傾斜した状態の第２保持板５２に近接しつつ、施錠ピン７１がまず第２保持板５２の第２保持部５２ｂの上端縁箇所に当接する〔図４（Ｂ）参照〕。そして、蓋体３をそのまま閉じ方向に移動させることで、施錠ピン７１は第２保持板５２を、第２回動枢支部５２ｃを回動中心として回動させる。図４（Ｂ），（Ｃ）では、施錠ピン７１によって第２保持板５２は、反時計方向に回動させられることになる。
【００５３】
さらに、蓋体３を閉じ方向に移動させることにより、第２保持板５２がさらに回動を続け、第２保持板５２の嵌合部５２ａが、第１保持板５１の被嵌合部５１ａに適正に嵌合する。嵌合部５２ａと被嵌合部５１ａとの適正な嵌合が行われる行程で、第１保持部５１ｂと第２保持部５２ｂとが保持領域５３を次第に形成しつつ、施錠ピン７１は、形成された略円形状の保持領域５３に保持され、蓋体３の閉じ動作が完了する〔図４（Ｃ）参照〕。
【００５４】
施錠器Ｂの開錠レバー部６には、複数の実施形態が存在する。開錠レバー部６の第１実施形態では、略三角形状の板部６１ａが形成され、先端に被押圧端部６２が形成されたものである〔図１（Ｂ），（Ｃ），図２等参照〕。開錠レバー部６の第２実施形態は、第１保持板５１の上端より水平状の水平腕状部６１ｂが形成され、水平腕状部６１ｂの先端から垂直状に被押圧端部６２が形成されたものである〔図６（Ａ）参照〕。
【００５５】
開錠レバー部６の第３実施形態は、第１保持板５１の上端より弧形腕状部６１ｃが形成され、該弧形腕状部６１ｃの先端に被押圧端部６２が形成されたものである〔図６（Ｂ）参照〕。また、開錠レバー部６の第４実施形態では、第１保持板５１と開錠レバー部６とを別部材としたものである〔図６（Ｃ）参照〕。第４実施形態では、具体的には、第１保持板５１の連結板部５１ｅと、第１保持板５１とは別部材とした開錠レバー部６とがビス等の固着具にて連結されたものである。
【００５６】
前述した開錠レバー部６の第１実施形態における略三角形状の板部６１ａでは、回動中心孔６１ｄが形成され、該回動中心孔６１ｄに前記固着具４５が貫通する構成とすることができる。これによって、開錠レバー部６の回動動作がより安定し且つ適正に行われる。また、回動中心孔６１ｄに、円管形状のカラー材６１ｅが挿入固定されること実施形態が存在する。該カラー材６ｅは、開錠レバー部６の板部６１ａと、これに対向する施錠ベース４の側部４１との間隔を常時一定とする役目をなす。これによって、開錠レバー部６はさらに、安定した状態で回動動作を行うことができる。
【００５７】
本発明における天井点検口の蓋施錠装置は、上述したように、主に天井Ａに対して設置されるものである〔図１，図７（Ａ）参照〕。また、本発明における天井点検口の蓋施錠装置は、壁Ｃ或いは床Ｄの点検口として使用することもできる〔図７（Ｂ）参照〕。本発明における天井点検口の蓋施錠装置は、壁Ｃに適応させるときは、天井パネル材１をそのまま壁パネル材として置き換えることができる。
【００５８】
天井パネル材１を壁パネル材に置き換えた場合では、図１（Ａ）乃至（Ｃ）の天井Ａ及びパネル材１を水平から垂直状に置き換えて見ればよい。また、本発明を床Ｄに適応させるときは、天井パネル材１をそのまま床パネル材に置き換えることができる。このとき、図１（Ａ）乃至（Ｃ）の天井Ａ及び天井パネル材１は、上下反転させて置き換えて見ればよい。
【符号の説明】
【００５９】
Ａ…天井、１…天井パネル材、２…点検開口部、３…蓋体、３ａ…開閉枢支部、
Ｂ…施錠器、４…施錠ベース、５１…第１保持板、５１ａ…被嵌合部、
５１ｂ…第１保持部、５２…第２保持板、５２ａ…嵌合部、５２ｂ…第２保持部、
６…開錠レバー部、７１…施錠ピン、９…開錠具。
【図１】
2018204369.tif 000003
【図２】
2018204369.tif 000004
【図３】
2018204369.tif 000005
【図４】
2018204369.tif 000006
【図５】
2018204369.tif 000007
【図６】
2018204369.tif 000008
【図７】
2018204369.tif 000009
【図８】
2018204369.tif 000010